(57)【要約】【課題】製造ラインにおいて生産中又は組立後の実機に生じた不具合の原因を容易に解析できるようにする。【解決手段】画像形成装置１は、各機能の動作レベルを設定する設定値を受け付ける設定値受付部と、ＨＤＤ９２と、当該受け付けられた設定値の履歴を項目毎にＨＤＤ９２に記憶させる履歴保存部と、当該記憶された前記項目毎の設定値を読み出す設定値読出部と、当該読み出した前記項目毎の設定値を外部機器に出力する設定値出力部とを備える。治具２は、画像形成装置１に対して、前記項目毎に記憶されている設定値の送信要求を送信するコマンド送信部２０１と、当該要求に応じて画像形成装置１から送信されてくる前記項目毎の前記設定値を受信する圧縮ログデータ受信部２０２と、設定値受信部により受信された前記項目毎の設定値を出力するＳＱＬコマンド送信部２０３とを備える。【選択図】図７
2016095429.tif 000002
【特許請求の範囲】
【請求項１】
画像形成装置と情報処理装置とを備える、画像形成装置の製造工程時の検査用設定値取得システムであって、
前記画像形成装置は、
本画像形成装置において実行が可能な各機能の動作レベルを設定する設定値の入力を受け付ける設定値受付部と、
当該画像形成装置に内蔵又は取り付けられた不揮発性の記憶部と、
前記設定値受付部で受け付けられた設定値の履歴を予め定められた項目毎に前記記憶部に記憶させる履歴保存部と、
前記履歴保存部により前記記憶部に記憶された前記項目毎の設定値を読み出す設定値読出部と、
前記設定値読出部が読み出した前記項目毎の設定値を、当該画像形成装置に接続された情報処理装置に出力する設定値出力部と、を備え、
前記情報処理装置は、
前記画像形成装置に対して、前記項目毎に記憶されている前記設定値の送信要求を送信する設定値要求送信部と、
前記設定値要求送信部から送信した前記送信要求に応じて、前記画像形成装置から送信されてくる前記項目毎の前記設定値を受信する設定値受信部と、
前記設定値受信部により受信された前記項目毎の設定値を出力する、情報処理装置側設定値出力部とを備える、画像形成装置の検査用設定値取得システム。
【請求項２】
前記履歴保存部は、前記設定値受付部で受け付けられた設定値の履歴を、各設定値が受け付けられた時刻と共に、前記記憶部に記憶させる請求項１に記載の画像形成装置の検査用設定値取得システム。
【請求項３】
送信側において、実行が可能な各機能の動作レベルを設定する設定値の入力を受け付け、その設定値の履歴を予め定められた項目毎に記憶し、その設定値を読み出し、その設定値を、送信側に接続された受信側に出力し、
受信側において、送信側に対して、前記項目毎に記憶されている前記設定値の送信要求を送信し、送信した前記送信要求に応じて、送信されてくる前記項目毎の前記設定値を受信し、その設定値を出力する画像形成装置の検査用設定値取得システム、に使用される送信側の画像形成装置において、
前記画像形成装置において実行が可能な各機能の動作レベルを設定する設定値の入力を受け付ける設定値受付部と、
前記画像形成装置に内蔵又は取り付けられた不揮発性の記憶部と、
前記設定値受付部で受け付けられた設定値の履歴を予め定められた項目毎に前記記憶部に記憶させる履歴保存部と、
前記履歴保存部により前記記憶部に記憶された前記項目毎の設定値を読み出す設定値読出部と、
前記設定値読出部が読み出した前記項目毎の設定値を、当該画像形成装置に接続された情報処理装置に出力する設定値出力部と、を備える画像形成装置。
【請求項４】
送信側において、実行が可能な各機能の動作レベルを設定する設定値の入力を受け付け、その設定値の履歴を予め定められた項目毎に記憶し、その設定値を読み出し、その設定値を、送信側に接続された受信側に出力し、
受信側において、送信側に対して、前記項目毎に記憶されている前記設定値の送信要求を送信し、送信した前記送信要求に応じて、送信されてくる前記項目毎の前記設定値を受信し、その設定値を出力する画像形成装置の検査用設定値取得システム、に使用される受信側の情報処理装置において、
前記画像形成装置に対して、前記項目毎に記憶されている前記設定値の送信要求を送信する設定値要求送信部と、
前記設定値要求送信部から送信した前記送信要求に応じて、前記画像形成装置から送信されてくる前記項目毎の前記設定値を受信する設定値受信部と、
前記設定値受信部により受信された前記項目毎の設定値を出力する、情報処理装置側設定値出力部とを備える情報処理装置。
【請求項５】
画像形成装置の制御ユニットを、
本画像形成装置において実行が可能な各機能の動作レベルを設定する設定値の入力を受け付ける設定値受付部と、
当該画像形成装置に内蔵又は取り付けられた不揮発性の記憶部と、
前記設定値受付部で受け付けられた設定値の履歴を予め定められた項目毎に前記記憶部に記憶させる履歴保存部と、
前記履歴保存部により前記記憶部に記憶された前記項目毎の設定値を読み出す設定値読出部と、
前記設定値読出部が読み出した前記項目毎の設定値を、当該画像形成装置に接続された情報処理装置に出力する設定値出力部として、機能させる画像形成装置側設定値収集プログラム。
【請求項６】
情報処理装置を、
本画像形成装置に対して、前記項目毎に記憶されている前記設定値の送信要求を送信する設定値要求送信部と、
前記設定値要求送信部から送信した前記送信要求に応じて、前記画像形成装置から送信されてくる前記項目毎の前記設定値を受信する設定値受信部と、
前記設定値受信部により受信された前記項目毎の設定値を出力する、情報処理装置側設定値出力部として機能させる情報処理装置側設定値収集プログラム。
【発明の詳細な説明】
【技術分野】
【０００１】
本発明は、画像形成装置の検査用設定値取得システム、画像形成装置、情報処理装置、画像形成装置側設定値収集プログラム、及び情報処理装置側設定値収集プログラムに関し、特に、製造された画像形成装置についてその不具合検証に用いる検査用設定値を取得するための技術に関する。
【背景技術】
【０００２】
複合機等の画像形成装置の製造ラインにおける最終工程では、組み立てが完了した装置に対して最終の調整工程を実施する。この調整工程では、画像形成部による記録紙への画像形成位置や、画像形成動作についての各プロセス等、多岐の項目に亘って調整が行われる。調整工程においては、上記調整のために詳細な数値設定が必要であるため、調整はライン作業者の手動により行われる。この調整の精度や速度はライン作業者の熟練度に依存することになるため、生産中又は組立後の装置には、人為的な作業ミスを要因とした動作不具合が発生するおそれがある。また、作業ミス無く組み立てられた実機であっても、特に、生産開始直後の実機は、製造前には予測し得なかった潜在的な不具合が実機自体に内包されているおそれがある。なお、下記に示す特許文献１及び２には、画像形成装置の動作調整を容易にするための技術が示されている。
【先行技術文献】
【特許文献】
【０００３】
【特許文献１】特開２００４−２７４３２８号公報
【特許文献２】特開２００１−１３４４０４号公報
【発明の概要】
【発明が解決しようとする課題】
【０００４】
上記のように製造ラインで不具合が発生した場合には、ライン作業者の調整内容と、実機自体が有する不具合の両側面からの調査が必要になるが、当該調査は容易ではない。製造ラインの各工程において複数のライン作業者によって行われる調整内容をそれぞれに記録しておくことは容易ではない。当該各調整内容を記録できたとしても、当該記録内容に基づいて不具合の原因を特定する作業は容易ではない。また、製造ラインはコストの観点から、我が国から離れた外国等の遠隔地に存在することもあり、調整内容を確認するために現場に向かうことは不便である。このため、不具合検証時には、現地作業者からの口頭や、その時点で保有している設定値に基づく報告を参考にして、不具合の原因を推測することになる。このような不具合を解消する作業は非常に困難であり、時間を要する作業となっている。また、上記特許文献１及び２に示される技術は、画像形成装置の動作調整を容易にすることは可能であるが、画像形成装置に生じた不具合の原因の解析を容易にするものではない。
【０００５】
本発明は、上記の問題を解決するためになされたものであり、製造ラインにおいて生産中又は組立後の実機に生じた不具合の原因を、容易に解析できるようにすることを目的とする。
【課題を解決するための手段】
【０００６】
また、発明の一局面に係る、画像形成装置の製造工程時の検査用設定値取得システムは、画像形成装置と情報処理装置とを備え、
前記画像形成装置は、
本画像形成装置において実行が可能な各機能の動作レベルを設定する設定値の入力を受け付ける設定値受付部と、
当該画像形成装置に内蔵又は取り付けられた不揮発性の記憶部と、
前記設定値受付部で受け付けられた設定値の履歴を予め定められた項目毎に前記記憶部に記憶させる履歴保存部と、
前記履歴保存部により前記記憶部に記憶された前記項目毎の設定値を読み出す設定値読出部と、
前記設定値読出部が読み出した前記項目毎の設定値を、当該画像形成装置に接続された情報処理装置に出力する設定値出力部と、を備え、
前記情報処理装置は、
前記画像形成装置に対して、前記項目毎に記憶されている前記設定値の送信要求を送信する設定値要求送信部と、
前記設定値要求送信部から送信した前記送信要求に応じて、前記画像形成装置から送信されてくる前記項目毎の前記設定値を受信する設定値受信部と、
前記設定値受信部により受信された前記項目毎の設定値を出力する、情報処理装置側設定値出力部とを備えるものである。
【０００７】
また、本発明の一局面に係る画像形成装置は、送信側において、実行が可能な各機能の動作レベルを設定する設定値の入力を受け付け、その設定値の履歴を予め定められた項目毎に記憶し、その設定値を読み出し、その設定値を、送信側に接続された受信側に出力し、
受信側において、送信側に対して、前記項目毎に記憶されている前記設定値の送信要求を送信し、送信した前記送信要求に応じて、送信されてくる前記項目毎の前記設定値を受信し、その設定値を出力する画像形成装置の検査用設定値取得システム、に使用される送信側の画像形成装置であって、
前記画像形成装置において実行が可能な各機能の動作レベルを設定する設定値の入力を受け付ける設定値受付部と、
前記画像形成装置に内蔵又は取り付けられた不揮発性の記憶部と、
前記設定値受付部で受け付けられた設定値の履歴を予め定められた項目毎に前記記憶部に記憶させる履歴保存部と、
前記履歴保存部により前記記憶部に記憶された前記項目毎の設定値を読み出す設定値読出部と、
前記設定値読出部が読み出した前記項目毎の設定値を、当該画像形成装置に接続された情報処理装置に出力する設定値出力部と、を備えるものである。
【０００８】
また、本発明の一局面に係る情報処理装置は、送信側において、実行が可能な各機能の動作レベルを設定する設定値の入力を受け付け、その設定値の履歴を予め定められた項目毎に記憶し、その設定値を読み出し、その設定値を、送信側に接続された受信側に出力し、
受信側において、送信側に対して、前記項目毎に記憶されている前記設定値の送信要求を送信し、送信した前記送信要求に応じて、送信されてくる前記項目毎の前記設定値を受信し、その設定値を出力する画像形成装置の検査用設定値取得システム、に使用される受信側の情報処理装置であって、
前記画像形成装置に対して、前記項目毎に記憶されている前記設定値の送信要求を送信する設定値要求送信部と、
前記設定値要求送信部から送信した前記送信要求に応じて、前記画像形成装置から送信されてくる前記項目毎の前記設定値を受信する設定値受信部と、
前記設定値受信部により受信された前記項目毎の設定値を出力する、情報処理装置側設定値出力部とを備えるものである。
【０００９】
また、発明の一局面に係る、画像形成装置側設定値収集プログラムは、画像形成装置の制御ユニットを、
本画像形成装置において実行が可能な各機能の動作レベルを設定する設定値の入力を受け付ける設定値受付部と、
当該画像形成装置に内蔵又は取り付けられた不揮発性の記憶部と、
前記設定値受付部で受け付けられた設定値の履歴を予め定められた項目毎に前記記憶部に記憶させる履歴保存部と、
前記履歴保存部により前記記憶部に記憶された前記項目毎の設定値を読み出す設定値読出部と、
前記設定値読出部が読み出した前記項目毎の設定値を、当該画像形成装置に接続された情報処理装置に出力する設定値出力部として、機能させるものである。
【００１０】
また、発明の一局面に係る、情報処理装置側設定値収集プログラムは、
情報処理装置を、
本画像形成装置に対して、前記項目毎に記憶されている前記設定値の送信要求を送信する設定値要求送信部と、
前記設定値要求送信部から送信した前記送信要求に応じて、前記画像形成装置から送信されてくる前記項目毎の前記設定値を受信する設定値受信部と、
前記設定値受信部により受信された前記項目毎の設定値を出力する、情報処理装置側設定値出力部として機能させるものである。
【発明の効果】
【００１１】
本発明によれば、画像形成装置の製造ラインにおいて生産中又は組立後の実機に生じた不具合の原因を容易に解析することが可能になる。
【図面の簡単な説明】
【００１２】
【図１】組立の対象とされる画像形成装置の構造を示す正面断面図である。
【図２】画像形成装置の主要内部構成を示す機能ブロック図である。
【図３】画像形成装置において調整の対象とされる各部を示す図である。
【図４】ＨＤＤに記憶される上記各設定値のログ種別を示す図である。
【図５】上記設定項目の設定・変更の変遷を概念的に示す図である。
【図６】製造ラインにおいては、工程間を移動する際に画像形成装置の電源をオフにする様子を示す図である。
【図７】画像形成装置の調整時に記憶された各履歴ログを治具及びデータベースに格納する処理を行うための構成を示す図である。
【図８】本実施形態に係る、画像形成装置の検査用設定値取得の処理の流れを示すフローチャートである。
【発明を実施するための形態】
【００１３】
以下、本発明の一実施形態に係る、画像形成装置の検査用設定値取得方法、画像形成装置、画像形成装置の検査用設定値取得システム、及び画像形成装置の検査用設定値取得プログラムについて図面を参照して説明する。
【００１４】
図１は、組立の対象とされる画像形成装置の構造を示す正面断面図である。まず、組立後の画像形成装置１が備える構成を説明する。画像形成装置１は、本発明の一実施形態でもある。画像形成装置１は、例えば、コピー機能、プリンター機能、スキャナー機能、及びファクシミリ機能のような複数の機能を兼ね備えた複合機である。画像形成装置１は、ライン作業者により、装置本体１１に、操作部４７、画像形成部１２、定着部１３、給紙部１４、原稿給送部６、及び原稿読取部５等が組み付けられてなる。
【００１５】
操作部４７は、画像形成装置１が実行可能な各種動作及び処理について操作者から画像形成動作実行指示や原稿読取動作実行指示等の指示を受け付ける。
【００１６】
画像形成装置１が原稿読取動作を行う場合、原稿給送部６により給送されてくる原稿、又は原稿載置ガラス１６１に載置された原稿の画像を原稿読取部５が光学的に読み取り、画像データを生成する。原稿読取部５により生成された画像データは、内蔵ＨＤＤ又はネットワーク接続されたコンピューター等に保存される。
【００１７】
画像形成装置１が画像形成動作を行う場合は、原稿読取動作により生成された画像データ、又はネットワーク接続されたコンピューターから受信した画像データ、又は内蔵ＨＤＤ９２に記憶されている画像データ等に基づいて、画像形成部１２が、給紙部１４から給紙される記録媒体としての記録紙Ｐにトナー像を形成する。画像形成部１２の画像形成ユニット１２Ｍ、１２Ｃ、１２Ｙ、及び１２Ｂｋは、感光体ドラム１２１と、感光体ドラム１２１へトナーを供給する現像装置１２２と、トナーを収容するトナーカートリッジ（不図示）と、帯電装置１２３と、露光装置１２４と、１次転写ローラー１２６とをそれぞれ備えている。
【００１８】
カラー印刷を行う場合、画像形成部１２のマゼンタ用の画像形成ユニット１２Ｍ、シアン用の画像形成ユニット１２Ｃ、イエロー用の画像形成ユニット１２Ｙ及びブラック用の画像形成ユニット１２Ｂｋは、それぞれに、画像データを構成するそれぞれの色成分からなる画像に基づいて、帯電、露光及び現像の工程により感光体ドラム１２１上にトナー像を形成し、トナー像を１次転写ローラー１２６により、駆動ローラー１２５Ａ及び従動ローラー１２５Ｂに張架されている中間転写ベルト１２５上に転写させる。
【００１９】
中間転写ベルト１２５は、その外周面にトナー像が転写される像担持面が設定され、感光体ドラム１２１の周面に当接した状態で駆動ローラー１２５Ａによって駆動される。中間転写ベルト１２５は、各感光体ドラム１２１と同期しながら、駆動ローラー１２５Ａと従動ローラー１２５Ｂとの間を無端走行する。
【００２０】
中間転写ベルト１２５上に転写される各色のトナー画像は、転写タイミングを調整して中間転写ベルト１２５上で重ね合わされ、カラーのトナー像となる。２次転写ローラー２１０は、中間転写ベルト１２５の表面に形成されたカラーのトナー像を、中間転写ベルト１２５を挟んで駆動ローラー１２５Ａとのニップ部Ｎにおいて、給紙部１４から搬送路１９０を搬送されてきた記録紙Ｐに転写させる。この後、定着部１３が、記録紙Ｐ上のトナー像を熱圧着により記録紙Ｐに定着させる。定着処理の完了したカラー画像形成済みの記録紙Ｐは、排出トレイ１５１に排出される。
【００２１】
従動ローラー１２５Ｂに張架された中間転写ベルト１２５部分には、クリーニング装置（清掃部）６０が設けられている。当該クリーニング装置６０は、中間転写ベルト１２５の外周面上に残存するトナーを回収する。
【００２２】
次に、上記画像形成装置１の構成を説明する。図２は画像形成装置１の主要内部構成を示す機能ブロック図である。
【００２３】
画像形成装置１は、制御ユニット１０を備える。制御ユニット１０は、ＣＰＵ(Central Processing Unit)、ＲＡＭ、ＲＯＭ及び専用のハードウェア回路等から構成され、画像形成装置１の全体的な動作制御を司る。
【００２４】
原稿読取部５は、制御ユニット１０による制御の下、光照射部及びＣＣＤセンサー等を有する読取機構を備える。原稿読取部５は、光照射部により原稿を照射し、その反射光をＣＣＤセンサーで受光することにより、原稿から画像を読み取る。
【００２５】
画像処理部３１は、原稿読取部５で読み取られた画像の画像データを必要に応じて画像処理する。例えば、画像処理部３１は、原稿読取部５により読み取られた画像が画像形成部１２により画像形成された後の品質を向上させるために、シェーディング補正等の予め定められた画像処理を行う。
【００２６】
画像メモリー３２は、原稿読取部５による読取で得られた原稿画像のデータを一時的に記憶したり、画像形成部１２のプリント対象となるデータを一時的に保存する領域である。
【００２７】
画像形成部１２は、原稿読取部５で読み取られた印刷データ、ネットワーク接続されたコンピューターから受信した印刷データ等の画像形成を行う。
【００２８】
操作部４７は、画像形成装置１が実行可能な各種動作及び処理について操作者からの指示を受け付ける。操作部４７は、表示部４７３を備える。特に本実施形態では、操作部４７は、ライン作業者から、上述した各動作機構についてその動作の程度を示すパラメーターとしての設定値を受け付ける。
【００２９】
ファクシミリ通信部７１は、図略の符号化／復号化部、変復調部及びＮＣＵ（Network Control Unit）を備え、公衆電話回線網を用いてのファクシミリの送信を行うものである。
【００３０】
ネットワークインターフェイス部９１は、ＬＡＮボード等の通信モジュールから構成され、当該ネットワークインターフェイス部９１に接続されたＬＡＮ等を介して、ローカルエリア内のコンピューター等と種々のデータの送受信を行う。
【００３１】
ＨＤＤ９２は、原稿読取部５によって読み取られた原稿画像等を記憶する大容量の記憶装置である。特に本実施形態では、ＨＤＤ９２は、操作部４７の操作でライン作業者により設定された上記各動作機構による機能についての設定値を記憶する。この設定値は、構成部品の組み立てが完了した状態の画像形成装置１において実行が可能とされる各機能の動作レベルを調整するために、画像形成装置１に入力される値である。当該設定値は、各機能の動作レベルを調整するために、予め定められた項目毎に設定される。
【００３２】
駆動モーター７０は、画像形成部１２の各回転部材及び搬送ローラー対１９等に回転駆動力を付与する駆動源である。
【００３３】
ＵＳＢインターフェイス部９３は、ＵＳＢメモリー等の外部記憶媒体が接続されるインターフェイスである。ＵＳＢインターフェイス部９３は、当該接続されたＵＳＢメモリーを、制御ユニット１０からのデータ読出及び書込が可能に、制御ユニット１０に接続する。
【００３４】
制御ユニット１０は、制御部１００と、設定値調整部１０１とを備えている。
【００３５】
制御部１００は、原稿読取部５、原稿給送部６、画像処理部３１、画像メモリー３２、画像形成部１２、操作部４７、ファクシミリ通信部７１、ネットワークインターフェイス部９１、ＨＤＤ９２等と接続され、これら各部の駆動制御を行う。
【００３６】
設定値調整部１０１は、ライン作業者から操作部４７を介して入力される設定値を受け付けて、上述した予め定められた項目毎に設定する。ＨＤＤ９２に記憶された本発明の一実施形態に係る画像形成装置側設定値収集プログラムに従って制御ユニット１０が動作することで、制御ユニット１０が設定値調整部１０１として機能する。設定値調整部１０１は、特許請求の範囲における設定値受付部及び履歴保存部の一例である。
【００３７】
次に、画像形成装置１の調整工程を説明する。図３は、画像形成装置において調整の対象とされる各部を示す図である。図３に示すように、画像形成装置１は、ライン作業者により、画像形成部１２、定着部１３、給紙部１４、原稿給送部６、及び原稿読取部５等が組み立てられてなる。画像形成装置１は、当該組立後に、正常動作を行わせるための調整が行われる。この正常動作のための調整は、ライン作業者により、操作部４７の操作で、画像形成装置１で実行可能な各動作について、動作レベルを、予め定められた項目毎に適宜設定することによって行われる。
【００３８】
設定値調整部１０１は、画像形成装置１を、各動作について上記各項目の値を設定可能なメンテナンスモード（後述）で動作させる。このメンテナンスモードにおいて、ライン作業者は、画像形成装置１の操作部４７を操作して、調整の対象とする動作を指定し、当該指定した動作について設定値を予め定められた上記項目毎に設定する。このとき、設定値調整部１０１は、いずれの項目がいつどのように設定されたかの履歴を、設定値の設定の度に、ＨＤＤ９２（特許請求の範囲における記憶部の一例）に記憶させる。なお、設定値が記憶される記憶媒体は、不揮発性の記憶媒体であれば、ＨＤＤ９２の他、画像形成装置１に内蔵されるフラッシュメモリードライブ、又は画像形成装置１に接続されるＵＳＢメモリー等であってもよい。本実施形態では、設定値調整部１０１は、上記設定値をＨＤＤ９２に記憶させる場合を例にして説明する。
【００３９】
上記調整が行われる調整工程において、調整対象とされる動作機構及びその動作は、例えば、給紙部１４による給紙動作、画像形成部１２による画像形成動作、定着部１３による定着動作、原稿読取部５による読取動作、原稿給送部６による原稿搬送動作等である。
【００４０】
例えば、画像形成部１２に対する調整の場合、ドラムモーターの駆動電圧や回転速度、帯電装置１２３の帯電電圧、露光装置１２４の露光照射光量及び露光速度、現像装置１２２の現像バイアス及び現像ローラー回転速度、一次転写ローラー１２６に印加する一次転写バイアス、駆動ローラー１２５Ａの回転速度（すなわち、中間転写ベルト１２５の走行速度）、二次転写ローラー２１０に印加する二次転写バイアス等が、ライン作業者による操作部４７の操作で、設定値調整部１０１により、適宜変更されて設定される。
【００４１】
図４は、ＨＤＤ９２に記憶される上記各設定値のログ種別を示す図である。設定値調整部１０１により設定された上記各設定値は、例えば、図４に示すように、メンテナンスモード操作履歴ログ、メンテナンスコマンド履歴ログ、Ｌｉｎｕｘ（登録商標）起動情報ログ、Ｇ６通信ログ、エンジンソフト側ログ、パネル操作履歴ログ、ＳＳＭ履歴ログ、ＲＩＰ履歴ログ、及びＥｎｔｉｔｙデータ履歴ログのように仕分けられて、ＨＤＤ９２に記憶される。
【００４２】
メンテナンスモード操作履歴ログは、画像形成装置１が上記メンテナンスモードにあるときに、ライン作業者等により行われたメンテナンスモードでの操作履歴の記録である。
【００４３】
メンテナンスコマンド履歴ログは、画像形成装置１が上記メンテナンスモードにあるときに、操作部４７の操作で設定された各動作についての設定値のログである。すなわち、メンテナンスモード操作履歴ログは、メンテナンスモードでコマンド入力により設定可能な設定値についての設定・変更の履歴である。
【００４４】
また、Ｌｉｎｕｘ起動情報ログは、画像形成装置１において、Ｌｉｎｕｘにより、画像形成装置１制御用ファームウェアを起動させた履歴である。
【００４５】
また、Ｇ６通信ログは、Ｇ６通信が行われた履歴のログである。
【００４６】
エンジンソフト側ログは、上記のように、例えば、画像形成部１２に対する調整の場合、ドラムモーターの駆動電圧や回転速度、帯電装置１２３の帯電電圧、露光装置１２４の露光照射光量及び露光速度、現像装置１２２の現像バイアス及び現像ローラー回転速度、一次転写ローラー１２６に印加する一次転写バイアス、駆動ローラー１２５Ａの回転速度（すなわち、中間転写ベルト１２５の走行速度）、二次転写ローラー２１０に印加する二次転写バイアス等がライン作業者により設定された場合等、これら各動作機構の動作制御を行う装置制御用ファームウェアが動作レベルの決定に用いる各設定値の設定・変更ログである。
【００４７】
パネル操作履歴ログは、操作部４７の操作履歴の記録である。例えば、画像形成装置１の製造ラインにおける各構成部材の組み立て後におけるパネル操作履歴は、上記設定値を設定するために行われた操作の履歴でもあるため、当該パネル操作履歴ログは、設定値の設定のためにどのような操作が行われたかの記録を示す情報となる。
【００４８】
ＳＳＭ履歴は、通信時におけるＳＳＭ（セキュリティ サービス モジュール）の設定履歴である。
【００４９】
ＲＩＰ履歴ログは、ＲＩＰ（Routing Information Protocol）の設定変更履歴である。
【００５０】
Ｅｎｔｉｔｙデータ履歴ログは、過去にＥｎｔｉｔｙデータとしてどのようなデータが扱われたかの履歴である。
【００５１】
なお、画像形成装置１では、画像形成装置１内に備えられるＲＡＭ等の揮発性メモリーには、上記各履歴ログは記憶されず、上述したように、不揮発性のＨＤＤ９２に記憶される。画像形成装置１の組立及び調整時には、次の工程に移行するために画像形成装置１の電源を落とす場合があるため、揮発性メモリーでは設定値の記憶を維持できないためである。
【００５２】
また、本実施形態では、上記の各設定値は、調整が行われて設定・変更される度に、その設定時刻と共に、当該設定値を設定するために稼働しているソフトウェアにより、ＨＤＤ９２に記憶される。
【００５３】
図５は上記設定項目の設定・変更の変遷を概念的に示す図である。図５は、メンテナンスモード操作履歴ログ３項目、エンジンソフト側ログ３項目が設定・変更される場合を例にして示している。
【００５４】
図５に示す例では、最初の第１段階の調整で、ライン作業者により、メンテナンスモード操作履歴ログの３項目に0x00,0x00,0x10の設定値が設定され、エンジンソフト側ログの３項目に0x10,0x00,0x00の設定値が設定されている。この後の第２段階の調整では、メンテナンスモード操作履歴ログの３項目に0x00,0x15,0x10が設定され、エンジンソフト側ログ３項目に0x10,0x30,0x00が設定されている。更にその後複数回の調整が行われ、最終の第ｎ段階の調整で、メンテナンスモード操作履歴ログの３項目に0x00,0x15,0x10が設定され、エンジンソフト側ログ３項目に0x10,0x30,0x00が設定されている。
【００５５】
この場合、上記のように設定・変更された各項目について、変更時刻、設定された設定値がＨＤＤ９２に記憶される。このため、ある段階での調整後に画像形成装置１に動作不具合が発生した場合には、過去の履歴ログに基づいて、不具合発生に起因した設定値を分析することが可能になる。
【００５６】
製造ラインにおいては、図６に示すように、工程間を移動する際に画像形成装置１の電源をオフにする製造ラインにおいては、工程間を移動する際に画像形成装置１の電源をオフにする必要が生じる。ここで、画像形成装置１内のＲＡＭ等に上記設定値の履歴ログを記憶させる場合、当該電源オフにより設定値のログが消去されてしまう。このため、画像形成装置１から、パーソナルコンピューター等の治具（情報処理装置の一例）２に、調整が行われる度に設定値を取得して記憶させておく必要がある。なお、この場合、同じ時刻における同一設定項目の設定値が重複して記憶されているときは、タイムスタンプを用いて同一時刻同一項目の設定値は統合して治具２に記憶させる。
【００５７】
これに対して、上述した本実施形態では、画像形成装置１におけるＨＤＤ９２に、上記各設定項目の設定値を記憶させるため、一旦記憶させたデータは、画像形成装置１の電源オン・オフに関係なく保持される。このため、治具２には、電源オン・オフの度にデータを移す必要がない。
【００５８】
次に、上記のようにして画像形成装置１の調整時に記憶された各履歴ログを治具２及びデータベースＤＢに格納する処理を説明する。図７は、画像形成装置１の調整時に記憶された各履歴ログを治具２及びデータベースＤＢに格納する処理を行うための構成を示す図である。
【００５９】
画像形成装置の検査用設定値取得システム５０は、画像形成装置１及び治具２を備えている。画像形成装置１の調整時に記憶された各履歴ログは、画像形成装置１に接続されたＰＣ等の治具２により収集される。
【００６０】
治具２は、例えば、パーソナルコンピューターからなる。治具２は、制御ユニット２００と、ＨＤＤ２１０とを備えている。
【００６１】
制御ユニット２００は、ＣＰＵ、ＲＡＭ、及びＲＯＭを有してなる。ＨＤＤ２１０は、治具２の動作制御を司る制御プログラムと、本発明の一実施形態に係る情報処理装置側設定値収集プログラムとを記憶している。また、治具２は、図略のＵＳＢインターフェイスを備え、当該ＵＳＢインターフェイスを介して、画像形成装置１のＵＳＢインターフェイス部９３との間でＵＳＢケーブルにより接続可能とされている。なお、画像形成装置１及び治具２が共に無線ＬＡＮ機能を有し、無線ＬＡＮを介して接続されるものとしてもよい。
【００６２】
制御ユニット２００は、情報処理装置側設定値収集プログラムに従って動作することで、治具ツール２１１として機能する。治具ツール２１１は、上記情報処理装置側設定値収集プログラムの起動指示を、治具２に備えられるキーボード又はマウス等からなる入力部を介して操作者から受け付ける。治具ツール２１１は、当該起動指示に従って、ＨＤＤ２１０に記憶されている情報処理装置側設定値収集プログラム２１０１を起動させる。当該情報処理装置側設定値収集プログラム２１０１は、画像形成装置１との間で通信を行って、画像形成装置１のＨＤＤ９２に記憶されている上記各履歴ログを読み出す処理を治具２に行わせるプログラムである。
【００６３】
情報処理装置側設定値収集プログラム２１０１が起動すると、制御ユニット２００が、情報処理装置側設定値収集プログラム２１０１に従って動作することで、ＫＣＦＣコマンド送信部２０１、圧縮ログデータ受信部２０２、ＳＱＬコマンド送信部２０３として機能する。なお、ＫＣＦＣコマンド送信部２０１は特許請求の範囲における設定値要求送信部の一例であり、圧縮ログデータ受信部２０２は特許請求の範囲における設定値受信部の一例であり、ＳＱＬコマンド送信部２０３は特許請求の範囲における情報処理装置側設定値出力部の一例である。
【００６４】
ＫＣＦＣコマンド送信部２０１は、上記起動後、ＫＣＦＣコマンド、ＬＬＯＧコマンド、及びデバイス番号を、ＵＳＢインターフェイスを介して、画像形成装置１に送信する。ＫＣＦＣコマンドは、ログの送信を要求するコマンドである。ＬＬＯＧコマンドは、ログの読み出しを要求するコマンドである。デバイス番号は、いずれの項目についての設定値のログを読み出すのかを指定する識別情報である。
【００６５】
圧縮ログデータ受信部２０２は、上記送信したＫＣＦＣコマンド、ＬＬＯＧコマンド、デバイス番号に応じて、画像形成装置１から送信されてくるログのデータ（以下、ログデータという）を受信する。圧縮ログデータ受信部２０２は、当該ログデータを圧縮されたデータ形式で受信する。圧縮ログデータ受信部２０２は、当該受信した圧縮ログデータを、ＨＤＤ２１０又はＳＱＬコマンド送信部２０３に引き渡す。
【００６６】
ＨＤＤ２１０は、上記圧縮ログデータを受け取って、圧縮された形式で又は当該圧縮を解凍した形式で記憶する。
【００６７】
ＳＱＬコマンド送信部２０３は、当該圧縮ログデータを、ＬＡＮ又はインターネット等によりネットワーク接続されたデータベースＤＢに送信する。
【００６８】
表示部２３０は、ＬＣＤ（liquid crystal display）等からなる。表示部２３０は、制御ユニット２００による制御の下、ＨＤＤ２１０に記憶されている上記ログデータが示すメンテナンスモード操作履歴ログ、メンテナンスコマンド履歴ログ、Ｌｉｎｕｘ起動情報ログ、Ｇ６通信ログ、エンジンソフト側ログ、パネル操作履歴ログ、ＳＳＭ履歴ログ、ＲＩＰ履歴ログ、及びＥｎｔｉｔｙデータ履歴ログの内容を表示する。これにより、治具２の操作者、例えばライン作業者に各履歴ログを視認させ、当該操作者に、画像形成装置１の不具合の原因を特定するための解析を可能にする。また、制御ユニット２００も、この表示を行う点において、特許請求の範囲における情報処理装置側設定値出力部の一例となる。
【００６９】
また、ＳＱＬコマンド送信部２０３は、当該圧縮ログデータを、ネットワーク接続されたデータベースＤＢに送信する。データベースＤＢは、治具２に対してＬＡＮ又はインターネットによりネットワーク接続されている。
【００７０】
次に画像形成装置１の構成を説明する。画像形成装置１は、図７及び上記図２に示すように、制御ユニット１０と、ＨＤＤ９２とを備えている。ＨＤＤ９２に記憶されている画像形成装置側設定値収集プログラムに従って制御ユニット１０が動作することで、制御ユニット１０が、上述したように、設定値調整部１０１として機能するが、更に、設定値調整部１０１は、データ送受信部１０１１、ＲＩＰ部１０１２、メンテナンス部１０１３として機能する。ここで、設定値調整部１０１は、特許請求の範囲における設定値読出部及び設定値出力部とて機能する。
【００７１】
データ送受信部１０１１は、治具２から、上記ＫＣＦＣコマンド、ＬＬＯＧコマンド、デバイス番号を受信する。データ送受信部１０１１は、当該ＫＣＦＣコマンド、ＬＬＯＧコマンド、及びデバイス番号を、ＲＩＰ部１０１２に送信する。また、データ送受信部１０１１は、メンテナンス部１０１３によりＨＤＤ９２から読み出された履歴ログのログデータを治具２に対して送信する。
【００７２】
ＲＩＰ部１０１２は、データ送受信部１０１１から受け取った、ＫＣＦＣコマンド、ＬＬＯＧコマンド、及びデバイス番号の内容を解析する。これにより、ＲＩＰ部１０１２は、ＨＤＤ９２に記憶されているいずれの履歴ログの送信が要求されているかを解析する。ＲＩＰ部１０１２は、指定された履歴ログをＨＤＤ９２から読み出させるために、ＬＬＯＧコマンドと、当該ＬＬＯＧコマンドを解析して得たパラメーターと、デバイス番号とをメンテナンス部１０１３に送信する。
【００７３】
メンテナンス部１０１３は、受信したＬＬＯＧコマンドのパラメーターを解析する。メンテナンス部１０１３は、解析により特定された履歴ログのログデータをＨＤＤ９２から読み出す。
【００７４】
メンテナンス部１０１３は、ＨＤＤ９２から読み出したログデータを圧縮する。メンテナンス部１０１３は、圧縮後のログデータを、データ送受信部１０１１に送信する。上述したように、データ送受信部１０１１は、当該圧縮されたログデータを治具２に向けて送信する。
【００７５】
治具２では、当該圧縮されたログデータを圧縮ログデータ受信部２０２が受信し、当該受信された圧縮ログデータは、圧縮ログデータ受信部２０２からＨＤＤ２１０又はＳＱＬコマンド送信部２０３に送られる。
【００７６】
続いて、データベースＤＢについて説明する。データベースＤＢは、ＬＡＮ又はインターネット等のネットワークにより治具２に接続されている。データベースＤＢは、制御部３００及びＨＤＤ３１０を備える。制御部３００は、ＨＤＤ２１０又は図略のメモリーに記憶されている予め定められた制御プログラムにより治具１との間でログデータを送受信するために必要な動作を実行し、上記受信した圧縮ログファイルに対してスクリプトを実行する。そして、スクリプト後のログデータを、ＳＱＬインターフェイスを介して、ＨＤＤ３１０に送信する。ＨＤＤ３１０には、当該ログデータが、例えば、メンテナンスモード操作履歴ログ、メンテナンスコマンド履歴ログ、Ｌｉｎｕｘ起動情報ログ、Ｇ６通信ログ、エンジンソフト側ログ、パネル操作履歴ログ、ＳＳＭ履歴ログ、ＲＩＰ履歴ログ、Ｅｎｔｉｔｙデータ履歴ログ、として、項目毎に記憶される。
【００７７】
ライン作業者等は、(a)治具２でＨＤＤ２１０に記憶された上記各履歴ログから、必要な履歴ログを表示部２３０に表示させる、(b)データベースＤＢにアクセスして、ＨＤＤ３１０に記憶されている上記各履歴ログから、必要な履歴ログを読み出す、等により、画像形成装置１内に記憶されていた上記各履歴ログの内容確認が可能になる。
【００７８】
図８は本実施形態に係る、画像形成装置１の検査用設定値取得の処理の流れを示すフローチャートである。すなわち、図８に示すように、本実施形態で示す、画像形成装置１の検査用設定値取得方法では、製造ラインにおいて構成部品の組み立てが完了したときに、この状態の画像形成装置１において実行が可能な各機能の動作レベルを設定する設定値の入力をライン作業者による操作部４７の操作で設定値調整部１０１が受け付け（Ｓ１：設定値受付工程）、設定値調整部１０１は、当該受け付けた設定値の履歴を、予め定められた項目（上記のメンテナンスモード操作履歴ログ、メンテナンスコマンド履歴ログ、Ｌｉｎｕｘ起動情報ログ、Ｇ６通信ログ、エンジンソフト側ログ、パネル操作履歴ログ、ＳＳＭ履歴ログ、ＲＩＰ履歴ログ、Ｅｎｔｉｔｙデータ履歴ログ等）毎に、ＨＤＤ９２に記憶させる（Ｓ２：履歴記憶工程）。
【００７９】
更に、ライン作業者が画像形成装置１に治具２を接続して、上記のようにしてＨＤＤ９２に記憶された上記項目毎の設定値を上記のようにして読み出させ（Ｓ３：設定値読出工程）、当該読み出した項目毎の設定値を治具２の制御ユニット２００が表示部２３０に表示させ、又は、ＳＱＬコマンド送信部２０３がデータベースＤＢに送信する（Ｓ４：設定値出力工程）。なお、当該設定値の表示部２３０での表示及びデータベースＤＢへの送信は、特許請求の範囲における「出力」の一例である。
【００８０】
更に、上記設定値の表示又は送信後に、設定値調整部１０１が、ＨＤＤ９２に記憶されている各設定値を消去するようにしてもよい（Ｓ５：設定値消去工程）。
【００８１】
このように、ライン作業者は、ライン作業で行われた画像形成装置１に対する各調整の内容を分析可能になる。例えば、ライン作業者は、取得されたログデータに基づいて、上記調整工程におけるメンテナンスモード等での操作履歴を確認し、また、各画像形成装置１別に記憶されているエンジンソフト側ログに基づいて、装置個体間での設定値のばらつき量、或いは装置生産時のロット単位でみたロット間での設定値のばらつき量を確認することで、次に行われるライン作業において画像形成装置１に初期設定する上記各設定値の初期値を算出することが可能になる。
【００８２】
例えば、製造ラインにおいては、(1)調整工程における初期段階に画像形成装置１がまわってきたとき、上記のようにして算出した初期値を、ライン作業者が操作部４７の操作により画像形成装置１に設定する、(2)ライン作業者が当該初期値から別の設定値に変更する等による調整作業を行うと、当該調整で設定された設定値や操作等が上記のようにしてＨＤＤ９２に記憶される（ロギングされる）、(4)調整工程において、上記のように冶具２を画像形成装置１に接続したタイミングでＨＤＤ９２に記憶されている項目別のログを治具２により収集する、(5)治具２が収集したログデータに基づいて、ライン作業で行われた画像形成装置１に対する各調整の内容を分析可能になり、次回行われるライン作業で用いる各設定値の初期値を算出する、という流れで作業を進めることができる。
【００８３】
このように、本実施形態で示した、画像形成装置１の検査用設定値取得方法によれば、不具合の現象発生に至る経緯を明確にするための方法を準備できることになり、万一不具合が発生した場合でも早期に原因に到達可能となる。また、上記のように初期値の算出が可能になることで、調整工程において必要な人的作業数を削減可能となり、初期値を正確に算出できた場合には調整自体を省略することも可能になるため、外乱（特に人の作業）による不具合の発生を予防して、コスト削減を可能にできる。
【００８４】
また、上記のようにデータベースＤＢに、上記ログデータを保存しておくことで、例えば、製造ラインを有する工場内で取得された各画像形成装置１についてのログデータを、当該工場内のサーバーで一元管理することや、本社等の他事業所から当該サーバーにアクセスして随時参照すること等が可能になる。
【００８５】
従って、本実施形態で示した、画像形成装置１の検査用設定値取得方法によれば、画像形成装置の製造ラインにおいて生産中又は組立後の実機に生じた不具合の原因を容易に解析することが可能になる。
【００８６】
例えば、不具合の特定を製造ラインの責任者又は作業者本人が行えるようになり、不具合の原因がライン作業者の手順ミスか否かを当該責任者又は作業者本人が指摘改善可能になる。これにより、画像形成装置１の調整工程途中で発生した現象を詳細に把握可能になる。
【００８７】
従来は、調整工程途中で発生した不具合は最終結果から推定するか、再現テストを実施して把握するしかなかったが、上記実施形態によれば、上記ログデータにより工程データを分析できるため、調整のための各設定に要した時間や設定による結果を集約して分析が可能になる。
【００８８】
また、上記のログデータは画像形成装置１に備えられるＨＤＤ９２に記憶されるため、画像形成装置１の電源切断時にデータが保持されるシステムを、新たな機構を追加せずに構成することが可能である。
【００８９】
なお、本発明は上記実施の形態の構成に限られず種々の変形が可能である。例えば、上記実施形態では、本発明に係る画像形成装置の一実施形態として複合機を用いて説明しているが、これは一例に過ぎず、例えば、プリンター、コピー機、ファクシミリ装置等の他の画像形成装置でもよい。
【００９０】
また、上記実施形態では、図１乃至図８を用いて上記実施形態により示した構成及び処理は、本発明の一実施形態に過ぎず、本発明を当該構成及び処理に限定する趣旨ではない。
【符号の説明】
【００９１】
５０      検査用設定値取得システム
１        画像形成装置
１０      制御ユニット
１００    制御部
１０１    設定値調整部
１０１１  データ送受信部
１０１２  ＲＩＰ部
１０１３  メンテナンス部
１２      画像形成部
４７      操作部
９２      ＨＤＤ
２        治具
２００    制御ユニット
２０１    ＫＣＦＣコマンド送信部
２０２    圧縮ログデータ受信部
２０３    ＳＱＬコマンド送信部
２１１    治具ツール
２１０１  情報処理装置側設定値収集プログラム
２３０    表示部
ＤＢ      データベース
【図１】
2016095429.tif 000003
【図２】
2016095429.tif 000004
【図３】
2016095429.tif 000005
【図４】
2016095429.tif 000006
【図５】
2016095429.tif 000007
【図６】
2016095429.tif 000008
【図７】
2016095429.tif 000009
【図８】
2016095429.tif 000010